(57)【要約】【課題】光信号のパワーを容易に調整することができ、消費電力を低減することができる光伝送システムを提供する。【解決手段】送信装置は、送信増幅器で光信号を増幅して伝送路を介して受信装置に送信すると共に送信増幅器からの光信号の送信パワーレベルを測定する。受信装置は、送信装置から伝送路を介して光信号を受信して受信増幅器で増幅すると共に、受信増幅器への光信号の受信パワーレベルを測定し、受信パワーレベルに関する情報を含む制御信号を、送信装置へ送信する光信号に合波する。送信装置は、受信装置から受信した光信号に合波された制御信号を分波し、その制御信号に含まれている、受信装置で受信された光信号の受信パワーレベルに関する情報を取得し、自身の測定した送信パワーレベルと受信装置からの受信パワーレベルに関する情報とに基づいて送信増幅器の送信パワーレベルを制御する。【選択図】図２
2012039287.tif 000002
【特許請求の範囲】
【請求項１】
送信増幅器で光信号を増幅して伝送路を介して受信装置に送信すると共に該送信増幅器からの光信号の送信パワーレベルを測定し、前記受信装置から受信した光信号に合波された制御信号を分波し、該制御信号に含まれている、該受信装置で受信された光信号の受信パワーレベルに関する情報を取得し、自身の測定した前記送信パワーレベルと前記受信装置からの前記受信パワーレベルに関する情報とに基づいて前記送信増幅器の送信パワーレベルを制御する送信装置と、
前記送信装置から前記伝送路を介して光信号を受信して受信増幅器で増幅すると共に、前記受信増幅器への光信号の受信パワーレベルを測定し、該受信パワーレベルに関する情報を含む制御信号を、前記送信装置へ送信する光信号に合波する受信装置と、を有する光伝送システム。
【請求項２】
前記受信装置は、主信号に合波する制御信号を前記主信号に同期させて生成する制御信号生成部を有し、前記制御信号生成部で生成される制御信号に、該受信パワーレベルに関する情報を重畳させる、請求項１に記載の光伝送システム。
【請求項３】
前記送信装置は、前記受信パワーレベルを前記受信装置の受信可能なレベル範囲内にするように、前記送信増幅器の送信パワーレベルを制御する、請求項１または２に記載の光伝送システム。
【請求項４】
前記送信装置は、前記受信パワーレベルを前記受信装置の受信可能なレベル範囲の下限に合わせるように、前記送信増幅器の送信パワーレベルを制御する、請求項３に記載の光伝送システム。
【請求項５】
送信装置から伝送路を介して受信装置に光信号を伝送する光伝送システムに用いられる送信装置であって、
前記受信装置に送信する光信号を増幅する、送信パワーレベルを変更することができる送信増幅器と、
前記送信増幅器からの光信号の送信パワーレベルを取得し、前記受信装置から受信され光信号に合波された制御信号を分波し、該制御信号に含まれている、該受信装置で受信された光信号の受信パワーレベルに関する情報を取得し、自身の測定した前記送信パワーレベルと前記受信装置からの前記受信パワーレベルに関する情報とに基づいて前記送信増幅器の送信パワーレベルを制御する制御手段と、を有する送信装置。
【請求項６】
前記制御手段は、前記受信パワーレベルを前記受信装置の受信可能なレベル範囲内にするように、前記送信増幅器の送信パワーレベルを制御する、請求項５に記載の送信装置。
【請求項７】
前記制御手段は、前記受信パワーレベルを前記受信装置の受信可能なレベル範囲の下限に合わせるように、前記送信増幅器の送信パワーレベルを制御する、請求項６に記載の送信装置。
【請求項８】
送信装置から伝送路を介して受信装置に光信号を伝送する光伝送システムに用いられる受信装置であって、
前記送信装置から前記伝送路を介して受信された光信号を増幅する受信増幅器と、
前記受信増幅器への光信号の受信パワーレベルを取得し、該受信パワーレベルに関する情報を含む制御信号を、前記送信装置へ送信する光信号に合波する制御手段と、を有する受信装置。
【請求項９】
主信号に合波する制御信号を前記主信号に同期させて生成する制御信号生成手段を更に有し、
前記制御手段は、前記制御信号生成手段に、生成した制御信号に、該受信パワーレベルに関する情報を重畳させる、請求項８に記載の受信装置。
【請求項１０】
送信装置から伝送路を介して受信装置に光信号を伝送する光伝送システムにおける送信パワーレベル制御方法であって、
前記送信装置において、送信増幅器で光信号を増幅して前記伝送路を介して送信すると共に該送信増幅器からの光信号の送信パワーレベルを測定し、
前記受信装置において、前記伝送路を介して光信号を受信して受信増幅器で増幅すると共に、前記受信増幅器への光信号の受信パワーレベルを測定し、該受信パワーレベルに関する情報を含む制御信号を、返送する光信号に合波し、
前記送信装置において、返送された前記光信号に合波された制御信号を分波し、該制御信号に含まれている、前記受信パワーレベルに関する情報を取得し、測定した前記送信パワーレベルと前記受信パワーレベルに関する情報とに基づいて前記送信増幅器の送信パワーレベルを制御する、送信パワーレベル制御方法。
【発明の詳細な説明】
【技術分野】
【０００１】
本発明は、送信装置から光伝送路を介して受信装置に信号を伝送する光伝送システムに関する。
【背景技術】
【０００２】
送信装置から光伝送路を介して受信装置に信号を伝送する光伝送システムが広く用いられている。この種の光伝送システムでは伝送距離などによって伝送路での光信号の減衰量が変わる。一方、受信装置で光信号を正常に受信するには、受信装置の受信する光信号のパワーが所定範囲内である必要がある。そのため、各受信装置の手前に光可変減衰器を配置し、その減衰量を人手を介して調整することで受信装置に入力される光信号のパワーを所定範囲内に調整していた。
【０００３】
また、特許文献１には、監視および制御のための信号を主信号に合波し、送信装置と受信装置で疎通状態の監視や伝送路への信号送信の制御を行う光伝送システムが記載されている。特許文献１に記載された光伝送システムでは、送信装置がクロック情報を含む信号を主信号に合波し、受信装置が受信信号からクロックを抽出している。そして、受信装置にてクロックが抽出できなくなると、送信装置および受信装置がＡＰＳＤ（Ａｕｔｏ  Ｐｏｗｅｒ  Ｓｈｕｔ  Ｄｏｗｎ）を起動する。ＡＰＳＤは、人体保護や火災防止のために、高出力の光アンプやラマン励起光源を自動的に停止させ、外部への光の放出をシャットダウンする機能である。
【先行技術文献】
【特許文献】
【０００４】
【特許文献１】特願２００５−７２７６９号公報
【発明の概要】
【発明が解決しようとする課題】
【０００５】
受信装置の手前に配置した光可変減衰器で光信号のパワーを調整する光伝送システムでは、各受信装置の置かれた場所に人員を派遣して調整を行う必要があり、調整に多大な工数や時間が費やされていた。また、送信装置と受信装置の間の伝送路が長い場合と短い場合の両方に受信側の調整で対応できるように、送信装置の光信号の送信パワーを大きく設定しておく必要があり、送信装置の消費電力が必要以上に大きく設定されていた。
【０００６】
また、特許文献１に記載された光伝送システムは、クロック抽出の可否に応じて光信号を停止する構成なので、光信号をオンするかオフするかという制御しかできず、光信号のパワーを適切な値に調整するのに適用することはできない。そのため、特許文献１に記載されている技術は、光信号のパワーの調整や消費電力の低減には寄与しない技術であった。
【０００７】
本発明の目的は、光信号のパワーを容易に調整することができ、消費電力を低減することができる光伝送システムを提供することである。
【課題を解決するための手段】
【０００８】
上記目的を達成するために、本発明の光伝送システムは、
送信増幅器で光信号を増幅して伝送路を介して受信装置に送信すると共に該送信増幅器からの光信号の送信パワーレベルを測定し、前記受信装置から受信した光信号に合波された制御信号を分波し、該制御信号に含まれている、該受信装置で受信された光信号の受信パワーレベルに関する情報を取得し、自身の測定した前記送信パワーレベルと前記受信装置からの前記受信パワーレベルに関する情報とに基づいて前記送信増幅器の送信パワーレベルを制御する送信装置と、
前記送信装置から前記伝送路を介して光信号を受信して受信増幅器で増幅すると共に、前記受信増幅器への光信号の受信パワーレベルを測定し、該受信パワーレベルに関する情報を含む制御信号を、前記送信装置へ送信する光信号に合波する受信装置と、を有する。
【０００９】
本発明の送信装置は、送信装置から伝送路を介して受信装置に光信号を伝送する光伝送システムに用いられる送信装置であって、
前記受信装置に送信する光信号を増幅する、送信パワーレベルを変更することができる送信増幅器と、
前記送信増幅器からの光信号の送信パワーレベルを取得し、前記受信装置から受信され光信号に合波された制御信号を分波し、該制御信号に含まれている、該受信装置で受信された光信号の受信パワーレベルに関する情報を取得し、自身の測定した前記送信パワーレベルと前記受信装置からの前記受信パワーレベルに関する情報とに基づいて前記送信増幅器の送信パワーレベルを制御する制御手段と、を有している。
【００１０】
本発明の受信装置は、送信装置から伝送路を介して受信装置に光信号を伝送する光伝送システムに用いられる受信装置であって、
前記送信装置から前記伝送路を介して受信された光信号を増幅する受信増幅器と、
前記受信増幅器への光信号の受信パワーレベルを取得し、該受信パワーレベルに関する情報を含む制御信号を、前記送信装置へ送信する光信号に合波する制御手段と、を有している。
【００１１】
本発明の送信パワーレベル制御方法は、送信装置から伝送路を介して受信装置に光信号を伝送する光伝送システムにおける送信パワーレベル制御方法であって、
前記送信装置において、送信増幅器で光信号を増幅して前記伝送路を介して送信すると共に該送信増幅器からの光信号の送信パワーレベルを測定し、
前記受信装置において、前記伝送路を介して光信号を受信して受信増幅器で増幅すると共に、前記受信増幅器への光信号の受信パワーレベルを測定し、該受信パワーレベルに関する情報を含む制御信号を、返送する光信号に合波し、
前記送信装置において、返送された前記光信号に合波された制御信号を分波し、該制御信号に含まれている、前記受信パワーレベルに関する情報を取得し、測定した前記送信パワーレベルと前記受信パワーレベルに関する情報とに基づいて前記送信増幅器の送信パワーレベルを制御するものである。
【発明の効果】
【００１２】
本発明によれば、光伝送システムの光信号のパワーを容易に調整することができ、消費電力を低減することができる。
【図面の簡単な説明】
【００１３】
【図１】本実施形態の光伝送システム全体の概略的な構成を示すシステム構成図である。
【図２】互いに接続された２つの伝送装置ノードの構成を示すブロック図である。
【図３】トランスポンダ２１、２９の構成を示すブロック図である。
【図４】送信光増幅器２３と受信光増幅器２５を一体的に構成した送受信光増幅器の構成を示すブロック図である。
【図５】ＯＳＣ部２７の構成を示すブロック図である。
【発明を実施するための形態】
【００１４】
本発明を実施するための形態について図面を参照して詳細に説明する。
【００１５】
図１は本実施形態の光伝送システム全体の概略的な構成を示すシステム構成図である。ここでは、ＤＷＤＭ（Ｄｅｎｓｅ  Ｗａｖｅｌｅｎｇｔｈ  Ｄｉｖｉｓｉｏｎ  Ｍｕｌｔｉｐｌｅｘｉｎｇ）技術を用いたコアネットワークが例示されている。
【００１６】
図１を参照すると、光伝送システムは、複数の伝送装置ノード１１が伝送路１２によってリング状に接続されている。各伝送装置ノード１１にはＡＤＭ（Ａｄｄ  Ｄｒｏｐ  Ｍｕｌｔｉｐｌｅｘｅｒ）１３とＬ２−ＳＷ（Ｌａｙｅｒ２  Ｓｗｉｔｃｈ）１４の一方あるいは両方が接続されている。ここでは、複数の伝送装置ノード１１を区別するために伝送装置ノード１１のそれぞれにＡ〜Ｆという符号が付与されている。また、複数の伝送路１２を区別するために伝送路１２のそれぞれにａ〜ｆという符号が付与されている。
【００１７】
伝送路１２は光ファイバによるものであり、伝送装置ノード１１同士を接続する。伝送路ａは伝送装置ノードＡと伝送装置ノードＢを接続している。伝送路ｂは伝送装置ノードＢと伝送装置ノードＣを接続している。伝送路ｃは伝送装置ノードＣと伝送装置ノードＤを接続している。伝送路ｄは伝送装置ノードＤと伝送装置ノードＥを接続している。伝送路ｅは伝送装置ノードＥと伝送装置ノードＦを接続している。伝送路ｆは伝送装置ノードＦと伝送装置ノードＡを接続している。
【００１８】
伝送装置ノード１１は、クライアント装置であるＡＤＭ１３やＬ２−ＳＷ１４と送受信するＥｔｈｅｒｎｅｔ（登録商標）やＳＯＮＥＴ（Ｓｙｎｃｈｒｏｎｏｕｓ  Ｏｐｔｉｃａｌ  ＮＥＴｗｏｒｋ）／ＳＤＨ（Ｓｙｎｃｈｒｏｎｏｕｓ  Ｄｉｇｉｔａｌ  Ｈｉｅｒａｒｃｈｙ）信号を予め決められた異なる波長に変換することでＷＤＭ光信号に変換し、ＷＤＭ光信号を伝送装置ノード１１同士で伝送路１２を介して送受信する。
【００１９】
図２は、互いに接続された２つの伝送装置ノードの構成を示すブロック図である。ここでは、伝送装置ノードＡと伝送装置ノードＢが接続された部分が例示されている。伝送装置ノードＡ、Ｂは同じ構成を有しており、伝送装置ノードＡの送信信号を伝送装置ノードＢが受信し、伝送装置ノードＢの送信信号を伝送装置ノードＡが受信するように接続されている。伝送装置ノードＡ、Ｂにおける他の伝送装置ノードとの接続構成は省略されているが、図２に示した部分と同様の構成である。
【００２０】
図２を参照すると、伝送装置ノードＡ、Ｂは、それぞれトランスポンダ２１、２９、合波器（ＭＵＸ）２２、分波器（ＤＭＵＸ）２８、送信光増幅器２３、受信光増幅器２５、ＤＣＦ（Ｄｉｓｐｅｒｓｉｏｎ  Ｃｏｍｐｅｎｓａｔｉｎｇ  Ｆｉｂｅｒ）部２６、およびＯＳＣ（Ｏｓｃｉｌｌａｔｏｒ）部２７を有している。
【００２１】
トランスポンダ２１、２９は対となって１つのトランスポンダを構成しており、その中でトランスポンダ２１が受信部であり、トランスポンダ２９が送信部である。
【００２２】
トランスポンダ２１は、図１に示したようなＡＤＭ１３やＬ２−ＳＷ１４といったクライアント装置からの光信号を受信し、波長変換を行い、ＭＵＸ２２へ光信号を出力する。
【００２３】
ＭＵＸ２２ではトランスポンダ２１からの複数の光信号を合波して得られたＷＤＭ主信号を送信光増幅器２３に送る。
【００２４】
送信光増幅器２３は、ＥＤＦＡ（Ｅｒｂｉｕｍ−Ｄｏｐｅｄ  ｏｐｔｉｃａｌ  Ｆｉｂｅｒ  Ａｍｐｌｉｆｉｅｒ）で構成され、ＭＵＸ２２からのＷＤＭ主信号を一括で増幅し、増幅したＷＤＭ主信号とＯＳＣ部２７からのＳＶ（Ｓｕｐｅｒ  Ｖｉｓｏｒｙ）光信号とを合波し、伝送路信号として伝送路１２に出力する。送信光増幅器２３の利得は可変であり、送信光増幅器２３はＯＳＣ部２７から与えられる、対向装置からの装置制御情報に基づいて出力パワーを調整する。
【００２５】
この対向装置からの装置制御情報には、伝送路１２を介して接続された対向装置である伝送装置ノードから通知された、対向装置における受信光増幅器２５への受信パワーレベルと、対向装置における受信光増幅器２５の受信可能なレベル範囲の情報が含まれている。伝送装置ノードＡから見ると伝送装置ノードＢが対向装置であり、伝送装置ノードＢから見ると伝送装置ノードＡが対向装置である。
【００２６】
送信光増幅器２３の出力パワーの調整は、具体的には、対向装置の受信光増幅器２５でのＷＤＭ信号の受信パワーのレベル範囲の情報と、対向装置の受信光増幅器２５での実際の受信パワーレベルの情報とに基づき、対向装置の受信光増幅器２５の受信パワーレベルが受信可能な範囲内となるように、自装置の送信光増幅器２３の出力パワーを調整すればよい。より望ましくは、対向装置の受信光増幅器２５の受信パワーレベルが受信可能な範囲の下限値となるように、自装置の送信光増幅器２３の出力パワーを調整するのがよい。
【００２７】
ＳＶ光信号の伝送信号フォーマットとして、ここでは一例としてＳＴＭ−１（１５０Ｍ）を使用する。ＯＳＣ部２７から送信光増幅器２３へのＳＶ光信号には、自装置の装置制御情報が重畳されている。この自装置の装置制御情報には、自装置における受信光増幅器２５への受信パワーレベルと、自装置における受信光増幅器２５の受信可能なレベル範囲の情報が含まれている。
【００２８】
伝送路１２からの光信号は受信光増幅器２５に入力される。
【００２９】
受信光増幅器２５は、受信した光信号をＷＤＭ主信号とＳＶ信号に分波し、ＷＤＭ主信号を必要に応じてＤＣＦ部２６によって分散補償し、トランスポンダ２９で受信可能なパワーレベルまでＥＤＦＡで一括増幅を行い、ＤＭＵＸ２８に送る。また、受信光増幅器２５は、ＳＶ信号をＯＳＣ部２７に送る。
【００３０】
また、受信光増幅器２５は、ＷＤＭ主信号の受信パワーレベルを観測し、受信光増幅器２５の受信可能なレベル範囲の情報と共に、装置制御情報として電気信号にてＯＳＣ部２７に通知する。
【００３１】
ＤＭＵＸ２８は、受信光増幅器２５からのＷＤＭ主信号を複数の光信号に分波してトランスポンダ２９に送る。
【００３２】
トランスポンダ２９は、ＤＭＵＸ２８からの光信号を波長変換し、ＡＤＭ１３やＬ２−ＳＷ１４といったクライアント装置へ出力する。
【００３３】
ＯＳＣ部２７は、伝送路１２上の光信号のクロックに同期して、伝送信号フォーマットを形成したＳＶ光信号を生成し、送信光増幅器２３に送る。この機能は一般的な伝送装置に必要とされる機能であり、伝送信号フォーマット毎に異なるものとなる。典型的な例としてはＯＳＣ部２７の機能をハードウェア的に独立した態様で構成される。例えば、ＯＳＣ部２７の機能を伝送装置内の特定ボード（パッケージ）にて実現することが考えられる。本実施形態では、ＯＳＣ部２７が送信光増幅器２３へ送るＳＶ光信号を生成するとき、受信光増幅器２５から与えられた装置制御情報を、自装置の装置制御情報としてＳＶ光信号に重畳する。
【００３４】
また、ＯＳＣ部２７は、受信光増幅器２５から通知されたＳＶ光信号に重畳されている、対向装置からの装置制御情報を取得し、電気信号にて送信光増幅器２３に通知する。この対向装置からの装置制御情報は、自装置の送信光増幅器２３の出力パワーの調整に用いられる。
【００３５】
本実施形態の伝送装置ノード１１では、送信側装置の送信光増幅器２３と受信側装置の受信光増幅器２５とが制御部となって連携して送信側装置における送信パワーレベルを制御する。その際、主信号に合波して送信側装置と受信側装置で送受信するＳＶ信号を生成し、終端するＯＳＣ部２７の機能を利用して送信側装置と受信側装置の制御のための通信が実現されている。
【００３６】
次に、トランスポンダ２１、２９と、送受信光増幅器２３、２５と、ＯＳＣ部２７とについて一例を示して詳細に説明する
図３は、トランスポンダ２１、２９の構成を示すブロック図である。図３を参照すると、トランスポンダ２１、２９は、クライアント側ＯＥ部３１、クライアント側ＥＯ部３２、ＦＥＣ  ＬＳＩ３３、ＷＤＭ側ＥＯ部３４、ＷＤＭ側ＯＥ部３５、ＶＣＯ３６、３８、およびＰＬＬ３７、３９を有している。
【００３７】
クライアント側ＯＥ（Ｃｌｉｅｎｔ  Ｏ／Ｅ）部３１は、クライアント装置からの光信号を電気信号に変換し、ＦＥＣ  ＬＳＩ３３に入力する。
【００３８】
クライアント側ＥＯ（Ｃｌｉｅｎｔ  Ｅ／Ｏ）部３２は、ＦＥＣ  ＬＳＩ３３からの電気信号を光信号に変換してクライアント装置に送信する。
【００３９】
ＷＤＭ側ＥＯ部３４は、ＦＥＣ  ＬＳＩ３３からの電気信号を光信号に変換し、ＭＵＸ２２に送信する。
【００４０】
ＷＤＭ側ＯＥ部３５は、ＤＭＵＸ２８からの光信号を電気信号に変換し、ＦＥＣ  ＬＳＩ３３に入力する。
【００４１】
ＶＣＯ（Ｖｏｌｔａｇｅ  Ｃｏｎｔｒｏｌｌｅｄ  Ｏｓｃｉｌｌａｔｏｒ）３６とＰＬＬ（Ｐｈａｓｅ−ｌｏｃｋｅｄ  ｌｏｏｐ）３７からなるクロック発生回路は、クライアント側ＯＥ部３１からの電気信号に同期したクライアント側同期クロックを生成し、ＦＥＣ  ＬＳＩ３３に入力する。
【００４２】
ＶＣＯ３８とＰＬＬ３９からなるクロック発生回路は、ＷＤＭ側ＯＥ部３５からの電気信号に同期したＷＤＭ側同期クロックを生成し、ＦＥＣ  ＬＳＩ３３に入力する。
【００４３】
ＦＥＣ（Ｆｏｒｗａｒｄ  Ｅｒｒｏｒ  Ｃｏｒｒｅｃｔｉｏｎ）  ＬＳＩ３３は、クライアント側同期クロックおよびＷＤＭ側同期クロックを用いて電気信号の同期をとり、電気信号に対して誤り訂正処理を行う。より具体的には、ＦＥＣ  ＬＳＩ３３は、クライアント側ＯＥ部３１からの電気信号に誤り訂正符号化を行い、ＷＤＭ側ＥＯ部３４に出力する。また、ＦＥＣ  ＬＳＩ３３は、ＷＤＭ側ＯＥ部３５からの電気信号に誤り訂正を行い、誤り訂正後の電気信号をクライアント側ＥＯ部３２に出力する。
【００４４】
また、トランスポンダ２１、２９は更に品質監視のためのモニタ機能を有していてもよい。例えば、ＦＥＣ  ＬＳＩ３３は、送受信する電気信号の誤り率を算出する機能を備えていてもよい。
【００４５】
図４は、送信光増幅器２３と受信光増幅器２５を一体的に構成した送受信光増幅器の構成を示すブロック図である。送信光増幅器２３と受信光増幅器２５を一体化することで電源回路や制御回路等を共用化し、低消費電力化が図られている。
【００４６】
図４を参照すると、送受信光増幅器は、フィルタ４１、４５、ＥＤＦＡ４２、４３、監視制御部４４、および差分抽出回路４６を有している。ＥＤＦＡ４３は、レベル調整機能を備えたＥＤＦＡ光増幅器である。
【００４７】
送受信光増幅器は、伝送路１２からの光信号をフィルタ４１にてＷＤＭ主信号とＳＶ光信号に分波し、ＳＶ光信号をＯＳＣ２７へ送信する。このＳＶ光信号には、対向装置の装置制御情報が含まれており、その対向装置の装置制御情報はＯＳＣ２７を経て監視制御部４４に通知され、ＥＤＦＡ４３の出力パワーの調整に用いられる。
【００４８】
この対向装置の装置制御情報には、対向装置の受信パワーレベルと対向装置の受信可能なレベル範囲の情報が含まれている。また、監視制御部４４には、ＥＤＦＡ４３の送信パワーレベルも通知される。監視制御部４４は、差分抽出回路４６を用いて受信パワーレベルと受信可能なレベル範囲の下限値との差を抽出し、その差を小さくするようにＥＤＦＡ４３の送信パワーレベルを制御する。
【００４９】
また、フィルタ４１からのＷＤＭ主信号は、ＤＣＦ２６による分散補償を経てＥＤＦＡ４２で増幅され、ＤＭＵＸ２８へ送信される。その際、ＥＤＦＡ４２の入力部では、受信パワーレベルが観測されて監視制御部４４に通知され、自装置の装置制御情報として監視制御部４４から電気信号でＯＳＣ２７へ通知される。この情報は、ＯＳＣ２７にてＳＶ光信号に重畳され、そのＳＶ光信号がフィルタ４５にて主信号に合波され、伝送路１２から対向装置に通知されることになる。
【００５０】
ＭＵＸ２２からのＷＤＭ主信号はＥＤＦＡ４３で増幅され、フィルタ４５にてＳＶ光信号と合波され、伝送路１２を介して対向装置に送信される。
【００５１】
また、送受信光増幅器は、ＥＤＦＡ４２、４３の出力を不図示のＯＣＭ（Ｏｐｔｉｃａｌ  Ｃｈａｎｎｅｌ  Ｍｏｎｉｔｏｒｉｎｇ）でモニタするための機能を備えている。
【００５２】
図５は、ＯＳＣ部２７の構成を示すブロック図である。ＯＳＣ部２７は、ＥＯ／ＯＥ部５１、ＳＴＭ−１フレーマ５２、ＯＳＣ信号処理部５３、およびイーサネットマッパー５４（イーサネットは登録商標）を有し、ＷＤＭ主信号とともに伝送されるＳＶ光信号の生成と終端を行う。
そのＳＶ光信号には、システムの制御および管理のための制御チャネルとユーザチャネルが重畳される。ＳＶ光信号の伝送信号フォーマットとしては、一例として、ＳＴＭ−１（１５０Ｍ）が使用されている。
【００５３】
受信光増幅器２５からのＳＶ光信号がＥＯ／ＯＥ部５１で電気信号に変換され、電気信号のＳＶ信号からＳＴＭ−１フレーマにて制御チャネルが分離される。分離された制御チャネルの信号がＯＳＣ信号処理部５３に入力される。
【００５４】
また、ＯＳＣ信号処理部５３からの制御チャネルの信号がＳＴＭ−１フレーマ５２にてＳＶ信号に重畳され、制御チャネルが重畳されたＳＶ信号がＥＯ／ＯＥ部５１で光信号に変換される。ＥＯ／ＯＥ部５１で変換されたＳＶ光信号は、送信光増幅器２３にてＷＤＭ主信号と合波される。
【００５５】
ＯＳＣ信号処理部５３は、制御チャネルを用いて対向装置のＯＳＣ信号処理部５３と通信し、また装置内接続で監視制御部４４と通信を行い、自装置および対向装置の送信パワーレベルの調整の制御に関する処理を行う。制御チャネルによる通信で自装置および対向装置の装置制御情報が送受信される。
【００５６】
また、ＯＳＣ部２７は、制御チャネルに代わりにあるいは制御チャネルに加えてユーザチャネルを用いて対向装置と通信を行うことにしてもよい。
【００５７】
また、制御チャネルあるいはユーザチャネルの中に、ＯＳＣ信号処理部５３を介さず、ＳＴＭ−１フレーマ５２およびイーサネットマッパー５４を介して装置内の各部に接続する信号が含まれていてもよい。
【００５８】
本実施形態では、送信光増幅器２３に、光パワーレベルの差分を抽出する差分抽出回路４６を有し、また送信側のＥＤＦＡ４３としてレベル調整機能を備えた増幅器を用いている。
【００５９】
差分抽出回路４６には、対向装置の受信光増幅器２５が受信可能なレベル範囲の下限の情報と、対向装置の受信光増幅器２５において観測された受信パワーレベルの情報とが入力される。差分抽出回路４６は、対向装置の受信可能なレベル範囲の下限と受信パワーレベルとを比較し、差分を抽出する。この差分は監視制御部４４によるＥＤＦＡ４３のレベル調整に用いられる。
【００６０】
次に、本実施形態の光伝送システムの動作例について説明する。
【００６１】
ここでは一例として、伝送装置ノードＢの受信光増幅器２５の受信可能なレベル範囲の下限が−１０ｄＢｍであり、伝送装置ノードＡの送信光増幅器２３の送信パワーレベルが０ｄＢｍでシステムを運用しているとする。
【００６２】
図２において、伝送装置ノードＡの送信光増幅器２３は、伝送装置ノードＡのＭＵＸ２２からのＷＤＭ主信号を受け取り、図４に示した送受信光増幅器の送信側のＥＤＦＡ４３により一括で増幅し、ＯＳＣ部２７からのＳＶ光信号と合波し、伝送路１２に送出する。
【００６３】
伝送装置ノードＢの受信光増幅器２５はその光信号を受信し、光伝送装置ノードＡからのＷＤＭ光信号の受信パワーレベル（ここでは−５ｄＢｍとする）の情報と、自身の受信可能なレベル範囲の下限値（ここでは−１０ｄＢｍとする）の情報を、ＯＳＣ部２７を介してＳＶ光信号に重畳し、伝送装置ノードＡの送信光増幅器２３に通知する。
【００６４】
伝送装置ノードＡの送信光増幅器２３は、ＯＳＣ部２７を介して受け取ったＳＶ信号に含まれている情報から差分抽出回路を用いて、伝送装置ノードＢの受信パワーレベルと受信可能なレベル範囲の下限との差分（ここでは５ｄＢである）を算出し、算出された値（５ｄＢ）だけ低減した−５ｄＢの送信パワーレベルを設定する。
【００６５】
これにより、伝送装置ノードＢの受信光増幅器２５で受信されるＷＤＭ信号の受信パワーレベルは−１０ｄＢｍとなる。この−１０ｄＢｍは受信光増幅器２５が受信可能な下限レベルに相当する。
【００６６】
このように、伝送装置ノードＢの受信光増幅器２５の受信レベルを、その受信光増幅器２５の受信可能な下限のパワーレベルに合わせることで、伝送装置ノードＡの送信光増幅器２３のパワーレベルを必要最低限に調整し、消費電力を低減することができる。
【００６７】
本実施形態によれば、送信光増幅器２３の出力パワーを制御することで、対向装置の受信光増幅器２５へ入力される光信号のパワーレベルを可変減衰器にて、そこの人員を派遣して調整する必要がなく、工数や時間の削減が可能である。
【００６８】
また、本実施形態によれば、送信光増幅器２３の出力パワーを制御するので、出力パワーを必要以上に高くする必要がなく、特に伝送路が短い場合には、出力パワーを低く抑えて消費電力を削減することができる。
【００６９】
また、本実施形態によれば、光信号を受信した対向装置側において主信号に合波する装置制御信号を生成するＯＳＣ部２７の機能を利用して受信パワーレベルを送信側の伝送装置ノード１１に通知するので、送信光増幅器２３の送信パワーレベルを制御するための伝送装置ノード１１間の通信を比較的簡易な構成で実現することができる。
【００７０】
なお、本実施形態では、監視制御部４４は自装置の受信パワーレベルと自装置の受信可能なレベル範囲とをＳＶ信号によって対向装置に通知し、対向装置の監視制御部４４がそれらの差分を抽出してＥＤＦＡ４３のレベル調整に用いるものであった。しかし、本発明はこれに限定されるものではない。他の例として、監視制御部４４は、自装置の受信パワーレベルと自装置の受信可能なレベル範囲との差分を差分抽出回路４６を用いて抽出し、その差分をＳＶ信号によって対向装置に通知し、対向装置の監視制御部４４は、通知された差分をＥＤＦＡ４３のレベル調整に用いることにしてもよい。
【００７１】
また、本実施形態におけるレベル調整機能によれば、伝送路特性、信号光波長配置、信号光の特性によって、伝送路１２へ送信パワーレベルに依存した非線形な減衰が生じる場合にも、受信光増幅器２５の受信パワーレベルを適切な値に調整することができる。
【００７２】
また、本実施形態の光伝送システムの送信パワーレベル調整は、送信光増幅器２３の送信パワーを最適なレベルに保つために常時実行してもよい。あるいは運用開始前に送信パワーレベル調整を実行して送信光増幅器２３の送信パワーを適切な値に設定し、その後は送信パワーを固定してシステムを運用することにしてもよい。
【００７３】
また、本実施形態の光伝送システムにおいて、送信パワーレベル調整を継続的に実行する場合、受信光増幅器２５の受信パワーレベルと受信可能なレベル範囲の下限値の差分が大きい場合に、その差分が良好に収束するように時定数を設定し、送信パワーレベルを段階的に適切な値に近づけていくことにしてもよい。
【００７４】
また、本実施形態では、受信光増幅器２５の受信パワーレベルを受信光増幅器２５の受信可能なレベル範囲の下限値に制御する例を示したが、本発明はこれに限定されるものではない。他の例として、実際のシステムでは、受信パワーレベルを、下限値に一定のマージンを加えた値に制御することが考えられる。
【００７５】
以上、本発明の実施形態について述べてきたが、本発明は、この実施形態だけに限定されるものではなく、本発明の技術思想の範囲内において、これらの実施形態を組み合わせて使用したり、一部の構成を変更したりしてもよい。
【符号の説明】
【００７６】
１１  伝送装置ノード
１２  伝送路
１３  ＡＤＭ
１４  Ｌ２−ＳＷ
２１  トランスポンダ
２２  ＭＵＸ
２３  送信光増幅器
２５  受信光増幅器
２６  ＤＣＦ部
２７  ＯＳＣ部
２８  ＤＭＵＸ
２９  トランスポンダ
３１  クライアント側ＯＥ部
３２  クライアント側ＥＯ部
３３  ＦＥＣ  ＬＳＩ
３４  ＷＤＭ側ＥＯ部
３５  ＷＤＭ側ＯＥ部
３６、３８  ＶＣＯ
３７、３９  ＰＬＬ
４１、４５  フィルタ
４２、４３  ＥＤＦＡ
４４  監視制御部
４６  差分抽出回路
５１  ＥＯ／ＯＥ部
５２  ＳＴＭ−１フレーマ
５３  ＯＳＣ信号処理部
５４  イーサネットマッパー
【図１】
2012039287.tif 000003
【図２】
2012039287.tif 000004
【図３】
2012039287.tif 000005
【図４】
2012039287.tif 000006
【図５】
2012039287.tif 000007